(57)【要約】【課題】            木造であっても連続した広い屋根裏空間を確保できると共に、部品点数も少なく、構造も簡単であって容易に短時間で施工できる屋根パネル、その屋根パネルを用いた屋根組構造及びその施工方法を提供する。【解決手段】        屋根パネル１は、棟木位置に相当する頂部より一方側に傾斜して位置する一方の屋根パネル本体１ａと他方側に傾斜して位置する他方の屋根パネル本体１ｂとが、頂部に相当する位置において回動可動に連結された連結部２となっており、この一方と他方の屋根パネル本体１ａ、１ｂには、一方と他方の屋根パネル本体１ａ、１ｂを連結部２を頂部として山形にして屋根相当部に設置したとき軒桁２２ａ、２２ｂに係止して山形形状を維持するストッパ３が設けられている。【選択図】          図１
2005290793.tif 000002
【特許請求の範囲】
【請求項１】
棟木位置に相当する頂部より一方側に傾斜して位置する一方の屋根パネル本体と他方側に傾斜して位置する他方の屋根パネル本体とが、頂部に相当する位置において回動可動に連結された連結部となっており、この一方と他方の屋根パネル本体には、一方と他方の屋根パネル本体を連結部を頂部として山形にして屋根相当部に設置したとき軒桁に係止して山形形状を維持するストッパが設けられていることを特徴とする屋根パネル。
【請求項２】
前記一方と他方の屋根パネル本体の連結は、ヒンジである請求項１記載の屋根パネル。
【請求項３】
前記屋根パネル本体は、頂部側に位置する棟側部材と軒桁側に位置する軒側部材とが所定間隔で同方向に配置され、この棟側部材と軒側部材との間に複数の垂木が架設され、この垂木上に野地板が設けられていることを特徴とする請求項１または２記載の屋根パネル。
【請求項４】
前記野地板の裏面側には断熱材が設けられていることを特徴とする請求項３記載の屋根パネル。
【請求項５】
屋根パネルは、棟木位置に相当する頂部より一方側に傾斜して位置する一方の屋根パネル本体と他方側に傾斜して位置する他方の屋根パネル本体とが、頂部に相当する位置において回動可動に連結された連結部となっており、この一方と他方の屋根パネル本体には、一方と他方の屋根パネル本体を連結部を頂部として山形にして屋根相当部に設置したとき軒桁に係止して山形形状を維持するストッパが設けられており、
この屋根パネルが一方と他方の屋根パネル本体を連結部を頂部として山形にして屋根相当部に設置され、
支柱に支持されて架け渡された表側に位置する軒桁に、一方の屋根パネル本体のストッパが係止され、支柱に支持されて架け渡された裏側に位置する軒桁に、他方の屋根パネル本体のストッパが係止されて山形形状に維持され、
前記表側に位置する軒桁と裏側に位置する軒桁との間には小屋梁が架設されていることを特徴とする屋根組構造。
【請求項６】
前記小屋梁上には、板材が敷設されていることを特徴とする請求項５記載の屋根組構造。
【請求項７】
前記一方と他方の屋根パネル本体の連結は、ヒンジである請求項５記載の屋根組構造。
【請求項８】
前記屋根パネル本体は、頂部側に位置する棟側部材と軒桁側に位置する軒側部材とが所定間隔で同方向に配置され、この棟側部材と軒側部材との間に複数の垂木が架設され、この垂木上に野地板が設けられていることを特徴とする請求項５記載の屋根組構造。
【請求項９】
前記野地板の裏面側には断熱材が設けられていることを特徴とする請求項８記載の屋根組構造。
【請求項１０】
所定の間隔で、表側に位置する軒桁を支持する支柱と、裏面側に位置する軒桁を支持する支柱とを立設し、
この表側に位置する軒桁を支持する支柱上には表側に位置する軒桁を架設し、裏側に位置する軒桁を支持する支柱上には裏側に位置する軒桁を架設し、
この表側と裏側に位置する軒桁間には小屋梁を架設し、この構造体上に、
棟木位置に相当する頂部より一方側に傾斜して位置する一方の屋根パネル本体と他方側に傾斜して位置する他方の屋根パネル本体とが、頂部に相当する位置において回動可動に連結された連結部となっており、この一方と他方の屋根パネル本体には、一方と他方の屋根パネル本体を連結部を頂部として山形にして屋根相当部に設置したとき軒桁に係止して山形形状を維持するストッパが設けられている屋根パネル、を吊り上げ、連結部を頂部とする山形にした状態でストッパを軒桁に係止させて載置することを特徴とする屋根組構造の施工方法。
【請求項１１】
前記請求項１０記載の屋根組構造の施工方法において、小屋梁を架設した後、又は屋根パネルを載置した後に、小屋梁上に板材を敷設することを特徴とする屋根組構造の施工方法。
【発明の詳細な説明】
【技術分野】
【０００１】
この発明は、屋根パネル、その屋根パネルを用いた屋根組構造及びその施工方法に関し、特に、屋根裏空間を確保することができると共に、容易に短時間で施工できる屋根パネル、その屋根パネルを用いた屋根組構造及びその施工方法に関する。
【背景技術】
【０００２】
木造住宅の屋根の基本的な構成は、図１５に示すように支柱３１上に架渡した軒桁３２、３２間に架設した小屋梁３３の上に小屋束３６を立て、棟木（図示省略）、母屋材３９を渡し、その上に垂木３４を載せその上に野地板３５を張った構成となっている。
この木造住宅の屋根の施工方法の一例を示すと、図１６に示す通りである。図１６は木造住宅の従来工法の一例を施工工程順（ａ）（ｂ）（ｃ）（ｄ）に示した説明図である。先ず、図１６（ａ）に示すように柱３１、３１間に架設した小屋梁（桁）３３に小屋束３６を立設する。次に図１６（ｂ）に示すように小屋束３６の最も高い小屋束３６の上端には棟木３８を架け渡し、他の小屋束３６の上端には母屋材３９を架け渡す。次に図１６（ｃ）に示すように棟木３８を頂部として棟木３８、母屋材３９の上に傾斜する垂木３４を設け、次に図１６（ｄ）に示すようにこの垂木３４の上に野地板３５を張る。
また、従来、枠組壁工法としてたるき方式、屋根梁方式、束建て方式、トラスト方式などがあるが、これらもやはり梁、桁から順次上に向かって組み立てるものである。
特に、最近はプレハブ工法としてユニット工法が多用されている。このユニット工法は、それぞれモジュール化したユニットを予め工場で製造し、これらのユニットを現場まで輸送し組み立てるものであるが、このユニット工法では、屋根ユニット（例えば、特許文献１、２及び３参照）が使用される。
いずれにしても、従来の木造住宅の屋根組構造は、屋根裏に小屋束、妻子壁、筋交い、ガセット、トラス等の組立て部材が数多く配置されているため、屋根裏が有効空間として有効に使用できないものであった。
【０００３】
そこで、このような課題を解決し屋根裏空間を確保できる小屋組構造（例えば、特許文献４及び５参照）や屋根ユニット（例えば、特許文献６及び７参照）が提案されている。
【特許文献１】特公平７−１０３６２６号公報（特許請求の範囲、第１図）
【特許文献２】特開平９−２９１６０２号公報（特許請求の範囲、図１）
【特許文献３】特開平２−１７８４５２号公報（特許請求の範囲、第１図）
【特許文献４】特開２００１−２１４５８４号公報（段落０００４）
【特許文献５】特開平４−９３４４０号公報（第１頁右欄下から７行目〜第２頁左欄上段第４行）
【特許文献６】特許第２８５１６８５号公報（発明が解決しようとする課題）
【特許文献７】特許第３３９１９９７号公報（段落０００４及び０００８）
【発明の開示】
【発明が解決しようとする課題】
【０００４】
しかしながら、従来の屋根裏空間を確保できる小屋組構造や屋根ユニットは、解決すべき次のような課題がある。
（１）木造住宅としての小屋組構造や屋根ユニットは、構造が複雑であったり、部品点数が多いので、施工性が悪く施工に手数と時間がかかる。
（２）また、トラスを使用したものは、屋根裏空間を確保できても、トラスで分断されるため分断された空間であって連続した屋根裏空間の確保ができない。
（３）更に、ベント梁を使用した小屋組構造では、連続した屋根裏空間を確保できるが、ベント梁は鋼材を使用するため、木造構築には適さないし、組立てに手数と時間を必要とし施工性にも課題がある。
この発明は、このような点に鑑み木造であっても連続した広い屋根裏空間を確保できると共に、部品点数が少なく、構造も簡単であって容易に短時間で施工できる屋根パネル、その屋根パネルを用いた屋根組構造及びその屋根組構造の施工方法を提供するものである。
【課題を解決するための手段】
【０００５】
この発明の屋根パネルは、請求項１に記載したように、棟木位置に相当する頂部より一方側に傾斜して位置する一方の屋根パネル本体と他方側に傾斜して位置する他方の屋根パネル本体とが、頂部に相当する位置において回動可動に連結された連結部となっており、この一方と他方の屋根パネル本体には、一方と他方の屋根パネル本体を連結部を頂部として山形にして屋根相当部に設置したとき軒桁に係止して山形形状を維持するストッパが設けられていることを特徴とする。
この屋根パネルによれば、山形にして屋根相当部に設置するだけで、トスッパが軒桁に係止して山形形状を維持するので、簡単に施工できる。一方と他方の屋根パネル本体は、回動可能に連結されているので、この連結部を中心に回動して折り重ねることができ、収納スペースの確保が容易となるし、輸送も容易となる。
また、この一方と他方の屋根パネル本体をヒンジで連結すると、両者を回動可能に容易に連結することができる。
【０００６】
また、この発明の屋根パネルの屋根パネル本体は、請求項３に記載したように、頂部側に位置する棟側部材と軒桁側に位置する軒側部材とが所定間隔で同方向に配置され、この棟側部材と軒側部材との間に複数の垂木が架設され、この垂木上に野地板が設けられていることを特徴とする。
これにより屋根としての強度を備える屋根パネルが容易に形成することができる。ここで屋根パネル本体の大きさ（面積広さ）は、棟側部材と軒側部材の長さ及び棟側部材と軒側部材との間隔によって決定される。従って、棟側部材と軒側部材の長さ及び棟側部材と軒側部材との間隔を適宜設定することで、必要とする大きさの屋根パネル本体を得ることができる。
また、この屋根パネル本体における野地板の裏面側に断熱材が設けられていると、屋根の内外との熱を遮断することができる。それ故に、冬は室内の暖気を保持できるし、夏は外気の暑さを遮断できる。
【０００７】
また、この発明の屋根組構造は、請求項５に記載したように、屋根パネルは、棟木位置に相当する頂部より一方側に傾斜して位置する一方の屋根パネル本体と他方側に傾斜して位置する他方の屋根パネル本体とが、頂部に相当する位置において回動可動に連結された連結部となっており、この一方と他方の屋根パネル本体には、一方と他方の屋根パネル本体を連結部を頂部として山形にして屋根相当部に設置したとき軒桁に係止して山形形状を維持するストッパが設けられており、
この屋根パネルが一方と他方の屋根パネル本体を連結部を頂部として山形にして屋根相当部に設置され、
支柱に支持されて架け渡された表側に位置する軒桁に、一方の屋根パネル本体のストッパが係止され、支柱に支持されて架け渡された裏側に位置する軒桁に、他方の屋根パネル本体のストッパが係止されて山形形状に維持され、
前記表側に位置する軒桁と裏側に位置する軒桁との間には小屋梁が架設されていることを特徴とする。
このような屋根組構造とすれば、前記のような屋根パネルを使用するので容易に施工できる。しかも、屋根パネルは、ストッパが軒桁に係止して山形形状を保持し、表側と裏側の軒桁間には小屋梁が架設されているので、軒桁に屋根パネルの荷重がかかっても、しっかりと支持することができる。また、この屋根組構造とすれば、屋根裏に障害物が存在せず、連続した広い屋根裏空間を確保できる。
なお、この発明で表側及び裏側とは、一方と他方の屋根パネル本体を山形の形状としたとき、一方側に傾斜する側を表側、他方側に傾斜する側を裏側として指すものである。
【０００８】
また、この屋根組構造において、一方と他方の屋根パネル本体の連結をヒンジとしたり、屋根パネル本体の構造を、頂部側に位置する棟側部材と軒桁側に位置する軒側部材とが所定間隔で同方向に配置され、この棟側部材と軒側部材との間に複数の垂木が架設され、この垂木上に野地板が設けられている構造としたり、更に、野地板の裏面側に断熱材を設ける構造とすると、前記したと同様の作用効果を奏する。
また、小屋梁上に板材が敷設されていると、剛性が付与され、建物のねじれが防止される。ここでの板材は床板とすることもできる。
【０００９】
さらに、この発明の屋根組構造の施工方法は、請求項１０に記載したように、所定の間隔で、表側に位置する軒桁を支持する支柱と、裏側に位置する軒桁を支持する支柱とを立設し、この表側に位置する軒桁を支持する支柱上には表側に位置する軒桁を架設し、裏側に位置する軒桁を支持する支柱上には裏側に位置する軒桁を架設し、
この表側と裏側に位置する軒桁間には小屋梁を架設し、この構造体上に、
棟木位置に相当する頂部より一方側に傾斜して位置する一方の屋根パネル本体と他方側に傾斜して位置する他方の屋根パネル本体とが、頂部に相当する位置において回動可動に連結された連結部となっており、この一方と他方の屋根パネル本体には、一方と他方の屋根パネル本体を連結部を頂部として山形にして屋根相当部に設置したとき軒桁に係止して山形形状を維持するストッパが設けられている屋根パネル、を吊り上げ、連結部を頂部とする山形にした状態でストッパを軒桁に係止させて載置することを特徴とする。
これにより前記した屋根組構造を容易に施工することができる。また、小屋梁上への板材の敷設も容易となる。
ここでの屋根パネルの吊り上げは、クレーン等を使用して容易に行うことができ、この時、屋根パネルが山形形状となるような吊り部材を使用すると、有効である。
【発明の効果】
【００１０】
この発明の屋根パネルによれば、次のような効果を奏する。
（１）屋根パネルは、棟木位置に相当する頂部より一方側に傾斜して位置する一方の屋根パネル本体と他方側に傾斜して位置する他方の屋根パネル本体とが、頂部に相当する位置において回動可動に連結された連結部となっているので、屋根パネルはこの連結部において山形とすることができ、この山形はストッパを軒桁に係止して山形形状を保持することができる。従って、屋根パネルを山形にして屋根相当部に設置するだけで、ストッパが軒桁に係止して山形形状を保持するので、簡単に施工できる。
（２）屋根パネルの一方と他方の屋根パネル本体は、回動可能に連結されているので、屋根パネルはこの連結部を中心に回動して折り畳む（折り重ねる）ことができ小さくできるので、その分収納スペースが小さくて済むし、輸送も容易となる。
（３）屋根パネルの一方と他方の屋根パネル本体をヒンジで連結すると、両者を回動可能に容易に連結することができる。
（４）屋根パネルの屋根パネル本体を、頂部側に位置する棟側部材と軒桁側に位置する軒側部材とが所定間隔で同方向に配置され、この棟側部材と軒側部材との間に複数の垂木が架設され、この垂木上に野地板が設けられている構造としているので、屋根としての強度を備える屋根パネルが容易に製造することができる。また、棟側部材と軒側部材の長さ及び棟側部材と軒側部材との間隔を適宜設定することで、必要とする大きさの屋根パネル本体を得ることができる。
（５）屋根パネル本体における野地板の裏面側に断熱材が設けられているので、屋根の内外との熱を遮断することができる。それ故に、冬は室内の暖気を保持できるし、夏は外気の暑さを遮断できる。
【００１１】
また、この発明の屋根組構造によれば、次のような効果を奏する。
（６）屋根組構造は、前記のような屋根パネルを使用するので、容易に施工することができる。
（７）屋根パネルは、ストッパが軒桁に係止して山形形状を保持し、表側と裏側の軒桁間には小屋梁が架設されているので、軒桁は小屋梁によって広がることが防止され、それ故に屋根パネルも広がることができない。その結果、屋根荷重は外周の支柱のみで支えることができる。さらに、小屋梁上に板材が敷設されているので剛性を得ることができ、建物のねじれが防止できる。
（８）この発明の屋根組構造によれば、小屋梁の中間に位置する支柱は、小屋梁の「たわみ」のみを支える役目に限定される。即ち、この発明の屋根組構造では、従来の屋根を構成する垂木、棟木、母屋材を経て小屋束にて小屋梁に伝えられる屋根荷重がないので、小屋梁を支える支柱の本数を少なくすることができ、その結果、当該階の空間は広くとることができ、間仕切りの自由度も広がる。
（９）また、この発明の屋根組構造とすれば、屋根裏に障害物が存在せず、連続した広い屋根裏空間を確保できる。従って、屋根裏空間を有効に利用できる。
【００１２】
（１０）さらに、この発明の屋根組構造の施工方法によれば、この発明の屋根組構造を容易に施工して組み立てることができる。また、小屋梁上への板材の敷設も容易となる。
【発明を実施するための最良の形態】
【００１３】
以下、この発明の実施の形態を図面について詳細に説明する。図１はこの発明の実施の形態を示す屋根パネルの斜視図、図２は屋根パネルを折り重ねた状態を示す正面図、図３はこの発明の実施の形態を示す屋根パネル本体の一部を切欠いた平面図、図４は図３Ａ−Ａ線断面図である。
【００１４】
屋根パネル１は、棟木位置に相当する頂部より一方側に傾斜して位置する一方の屋根パネル本体１ａと他方側に傾斜して位置する他方の屋根パネル本体１ｂとが、頂部に相当する位置においてヒンジ２にて回動可動に連結されている。このヒンジ２にて連結されている部分が、この発明でいう連結部に相当する。従って、符号２はヒンジとしても連結部としても使用する。
前記一方と他方の屋根パネル本体１ａ、１ｂには、一方と他方の屋根パネル本体１ａ、１ｂをヒンジ（連結部）２を頂部として山形にして屋根相当部に設置したとき軒桁に係止して山形形状を維持するストッパ３が設けられている。
【００１５】
前記屋根パネル本体１ａ、１ｂの構成は特に制限はなく、種々の構成を選択できるが、全体の形状は屋根組みに使用するため平面視長方形が好ましい。本例では、屋根パネル本体１ａ、１ｂとして、頂部側に位置する棟側部材としての棟板６と軒桁側に位置する軒側部材としての軒板７とが所定間隔で同方向に配置され、この棟板６と軒板７との間に複数の垂木８が架設され、この垂木８上に野地板９が設けられていると共に、この野地板９の裏面側に断熱材１０が設けられている構成を示している。
前記一方の屋根パネル本体１ａの棟板６と他方の屋根パネル本体１ｂの棟板６とは、山形形状にして設置するとき、図１に示すように板面が互に当接し合う角度に設けると、一方と他方の屋根パネル本体１ａ、１ｂの山形形状の保持の向上に寄与するので好ましい。これにより一方と他方の屋根パネル本体１ａ、１ｂの山形形状の保持が強固となる。
【００１６】
ヒンジ２としては特に限定されるものではなく、従来公知のものでよい。図５はヒンジの一例を示す分解斜視図である。このヒンジ２は、一方のヒンジ片２ａが一方の屋根パネル本体１ａの垂木８に固定部材（釘）１３で固定され、他方のヒンジ片２ｂが他方の屋根パネル本体１ｂの垂木８に固定部材１３で固定され、このヒンジ片２ａ、２ｂを枢軸１２となるボルト１２ａで枢着し、ナット１２ｂでボルト１２ａの抜け止めをしたものである。本例では、図１に示すように屋根パネル本体１ａ、１ｂの両側をヒンジ２で連結した場合を示している。
前記ストッパ３は、屋根パネル１を山形にして設置したとき、軒桁に係止して屋根パネル本体１ａ、１ｂの山形形状を保持できる構成のものであればよい。好ましい一例を図６に示す。図６はストッパの一例を示す分解斜視図である。このストッパ３は、ストッパ片３ａを、垂木８の側面に固定部材（釘）１３で固定して設けている。本例では、図１に示すようにストッパ３が屋根パネル本体１ａ、１ｂの両側に設けられている。
また、垂木８には下面に切欠４が設けられていると望ましい。この切欠４は、ストッパ３が軒桁２２に係止したとき、軒桁２２に当接する位置に設けられるものであって、これにより垂木８の下面の切欠４が軒桁２２の角部に嵌合して載置されるので好ましい。この切欠４は、必ずしも必要ではないが、切欠４がないと垂木８と軒桁２２とが角で接触することになるので好ましくない。
【００１７】
また、断熱材１０も必ずしも必要ないが、設けると屋根の内外からの熱の遮断をすることができ、それにより室内の熱の逃げるのを防止し外気を遮断できるので、冬は室内の暖かさを保持できるし、夏は外気の暑さを遮断できて好ましい。本例では、野地板９の裏面側に図４に示すように断熱材止め１１で断熱材１０を設けた場合を示している。
【００１８】
しかして、この屋根パネル１は、一方と他方の屋根パネル本体１ａ、１ｂのヒンジ２での連結部において山形とすることができ、この山形はストッパ３を軒桁２２に係止して山形形状を保持することができるので、屋根パネル１を山形にして屋根相当部に設置するだけで施工できる。また、屋根パネル１の一方と他方の屋根パネル本体１ａ、１ｂは、ヒンジ２にて回動可能に連結されているので、屋根パネル１は図２に示すように連結部２を中心に回動して折り重ねることができる。
【００１９】
図８乃至図１１は、屋根パネル本体の変型例を示す一部切欠の斜視図であり、ヒンジ、ストッパ、断熱材等は省略して示している。図８は垂木８が５本の場合であり、図９は垂木８が３本の場合であり、図１０は垂木８の他にけらば垂木１５も併用した場合であり、図１１は垂木８が４本の場合であり、他は前記実施の形態と同様であるので同一構成要素には同一符号を付して他の説明は省略する。なお、屋根パネル本体１ａ（１ｂ）の棟板６には、通気孔１４を設けてもよい。
このように屋根パネル１は、種々の変形が可能であり、一方の屋根パネル本体１ａと他方の屋根パネル本体１ｂの形状、構造は、同じでなくてもよい。屋根は、一方側に傾斜する屋根と他方側に傾斜する屋根とが全て同じはなく、種々のものがある。従って、建設する家屋の構成に対応して一方の屋根パネル本体１ａと他方の屋根パネル本体１ｂの、大きさ、形状、構造を選択する。
【００２０】
次に、前記屋根パネル１を使用しての屋根組構造の施工方法を説明する。図１２は屋根組構造の施工方法を工程順（ａ）（ｂ）（ｃ）（ｄ）に示した説明図である。
先ず、図１２（ａ）に示すように屋根パネル１をクレーン等で吊り上げるために、折り重ねられて載置されている屋根パネル本体１ａ、１ｂに吊り部材１６のフック１６ｃを引っ掛ける。一方と他方の屋根パネル本体１ａ、１ｂには、図１及び図７に示すようなフック部材５が設けられている。本例では図７に示すようにフック部材５が垂木８の側面に固定部材（釘）１３で固定されて設けられている。吊り部材１６のフック１６ｃはこのフック部材５に引っ掛けられる。吊り部材１６は基材１６ａより２本のワイヤ１６ｂが吊り下げられ、このワイヤ１６ｂの先端にフック１６ｃが設けられたものである。
次に図１２（ｂ）に示すように屋根パネル１を吊り部材１６を介してクレーン等で吊り上げる。この時、屋根パネル本体１ａ、１ｂが折り重ねられた状態で、連結部２が上部として吊り上げると、図１２（ｂ）で鎖線で示すように一方と他方の屋根パネル本体１ａ、１ｂは連結部２を中心に両側に開いてゆき、遂には図１２（ｃ）に示すように山形の形状となって吊り上げられる。この山形の形状は、図１に示すように一方の屋根パネル本体１ａの棟板６と他方の屋根パネル本体１ｂの棟板６とが当接することによって決定される。この棟板６は、屋根パネル本体１ａ、１ｂでの山形をどの程度にするかによって、予め設定された角度に設けられている。
【００２１】
次に、図１２（ｄ）に示すように支柱２１、軒桁２２ａ、２２ｂ及び小屋梁２３等で構成する構造体の上に、前記吊り上げた屋根パネル１を載置する。この時、連結部２を頂部とする山形にした状態でストッパ３を軒桁２２ａ、２２ｂに係止させて載置する。図１３は、この構造体の上に屋根パネル１が載置された状態を斜視図で示している。
構造体は常法に従って予め構築される。例えば、所定の間隔で、表側に位置する軒桁２２ａを支持する支柱２１と、裏側に位置する軒桁２２ｂを支持する支柱２１とを立設し、この表側に位置する軒桁２２ａを支持する支柱２１上には表側に位置する軒桁２２ａを架設し、裏側に位置する軒桁２２ｂを支持する支柱２１上には裏側に位置する軒桁２２ｂを架設し、この表側と裏側に位置する軒桁２２ａ、２２ｂ間には小屋梁２３を架設することによって構築する。
【００２２】
このような屋根組構造の施工方法によれば、図１３に示すような屋根パネル１は、棟木位置に相当する頂部より一方側に傾斜して位置する一方の屋根パネル本体１ａと他方側に傾斜して位置する他方の屋根パネル本体１ｂとが、頂部に相当する位置において回動可動に連結された連結部２となっており、この一方と他方の屋根パネル本体１ａ、１ｂには、一方と他方の屋根パネル本体１ａ、１ｂを連結部２を頂部として山形にして屋根相当部に設置したとき軒桁２２ａ、２２ｂに係止して山形形状を維持するストッパ３が設けられており、
この屋根パネル１が一方と他方の屋根パネル本体１ａ、１ｂを連結部２を頂部として山形にして屋根相当部に設置され、
支柱２１に支持されて架け渡された表側に位置する軒桁２２ａに、一方の屋根パネル本体１ａのストッパ３が係止され、支柱２１に支持されて架け渡された裏側に位置する軒桁２２ｂに、他方の屋根パネル本体１ｂのストッパ３が係止されて山形形状に維持され、
前記表側に位置する軒桁２２ａと裏側に位置する軒桁２２ｂとの間には小屋梁２３が架設されている屋根組構造を容易に施工することができる。
【００２３】
また、前記したような屋根パネル１は、棟木位置に相当する頂部より一方側に傾斜して位置する一方の屋根パネル本体１ａと他方側に傾斜して位置する他方の屋根パネル本体１ｂとが、頂部に相当する位置において回動可動に連結された連結部２となっており、この一方と他方の屋根パネル本体１ａ、１ｂには、一方と他方の屋根パネル本体１ａ、１ｂを連結部２を頂部として山形にして屋根相当部に設置したとき軒桁２２ａ、２２ｂに係止して山形形状を維持するストッパ３が設けられており、
この屋根パネル１が一方と他方の屋根パネル本体１ａ、１ｂを連結部２を頂部として山形にして屋根相当部に設置され、
支柱２１に支持されて架け渡された表側に位置する軒桁２２ａに、一方の屋根パネル本体１ａのストッパ３が係止され、支柱２１に支持されて架け渡された裏側に位置する軒桁２２ｂに、他方の屋根パネル本体１ｂのストッパ３が係止されて山形形状に維持され、
前記表側に位置する軒桁２２ａと裏側に位置する軒桁２２ｂとの間には小屋梁２３が架設されている屋根組構造によれば、屋根裏に障害物が存在せず、連続した広い屋根裏空間となるので、屋根裏空間を有効に利用できる。
また、屋根パネル１は、ストッパ３が軒桁２２ａ、２２ｂに係止して山形形状を保持し、表側と裏側の軒桁２２ａ、２２ｂ間には小屋梁２３が架設されているので、軒桁２２ａ、２２ｂは小屋梁２３によって広がることが防止され、それ故に屋根パネル１も広がることができない。その結果、屋根荷重は外周の支柱２１のみで支えることができる。さらに、小屋梁２３上に図１４に示すように板材２４を敷設（張設）すると剛性を得ることができ、建物のねじれが防止できる。
【００２４】
この板材２４の敷設（張設）は、前記施工工程における小屋梁２３を架設した後か、または構造体の上に屋根パネル１を設置した後に行えばよい。
また、前記屋根組構造によれば、小屋梁２３の中間に位置する支柱（図１２（ｄ）の支柱２１ａに相当）は、小屋梁２３の「たわみ」のみを支える役目に限定される。即ち、この屋根組構造では、従来の屋根を構成する垂木、棟木、母屋材を経て小屋束にて小屋梁に伝えられる屋根荷重がないので、小屋梁２３を支える中間の支柱の本数を少なくすることができ、その結果、当該階の空間は広くとることができ、間仕切りの自由度も広がる。
【００２５】
なお、前記実施の形態は、この発明を制限するものではなく、この発明は要旨を逸脱しない範囲において種々の変形が許容される。
【図面の簡単な説明】
【００２６】
【図１】この発明の実施の形態を示す屋根パネルの斜視図である。
【図２】屋根パネルを折り重ねた状態を示す正面図である。
【図３】この発明の実施の形態を示す屋根パネル本体の一部を切欠いた平面図である。
【図４】図３Ａ−Ａ線断面図である。
【図５】ヒンジ部分の分解斜視図である。
【図６】ストッパ部分の分解斜視図である。
【図７】フック部材部分の分解斜視図である。
【図８】屋根パネル本体の変型例を示す一部切欠の斜視図である。
【図９】屋根パネル本体の他の変型例を示す一部切欠の斜視図である。
【図１０】屋根パネル本体の更に他の変型例を示す一部切欠の斜視図である。
【図１１】屋根パネル本体の更に他の変型例を示す一部切欠の斜視図である。
【図１２】屋根組構造の施工方法を工程順（ａ）（ｂ）（ｃ）（ｄ）に示す説明図である。
【図１３】屋根組構造の施工完了時の斜視図である。
【図１４】この発明の実施の形態を示す屋根組構造の斜視図である。
【図１５】従来の屋根組構造の斜視図である。
【図１６】従来の屋根組構造の施工方法を工程順（ａ）（ｂ）（ｃ）（ｄ）に示す説明図である。
【符号の説明】
【００２７】
１  屋根パネル
１ａ  一方の屋根パネル本体
１ｂ  他方の屋根パネル本体
２  ヒンジ（連結部）
３  ストッパ
４  切欠
５  フック部材
６  棟板（棟側部材）
７  軒板（軒側部材）
８  垂木
９  野地板
１０  断熱材
２１  支柱
２２、２２ａ、２２ｂ  軒桁
２３  小屋梁
２４  板材
【図１】
2005290793.tif 000003
【図２】
2005290793.tif 000004
【図３】
2005290793.tif 000005
【図４】
2005290793.tif 000006
【図５】
2005290793.tif 000007
【図６】
2005290793.tif 000008
【図７】
2005290793.tif 000009
【図８】
2005290793.tif 000010
【図９】
2005290793.tif 000011
【図１０】
2005290793.tif 000012
【図１１】
2005290793.tif 000013
【図１２】
2005290793.tif 000014
【図１３】
2005290793.tif 000015
【図１４】
2005290793.tif 000016
【図１５】
2005290793.tif 000017
【図１６】
2005290793.tif 000018